(57)【要約】【課題】基板と両側壁をヒンジ部で連設し、一方の側壁に綴じ棒を形成したことから、見本帳バインダーを単一の部材で構成でき、構成を簡略化できるとともに、単純な作業で見本帳を製造できる。また、一体として成型でき、成型コストを低く抑えられる。【解決手段】見本帳背表紙21の内面に固定するために樹脂材で形成した平板状の基板1と、この基板1の一側辺にヒンジ部2を介して連設した一方側壁3と、この一方側壁3の基板1側に固定し、先端の嵌合部6に縮径用の割溝7を形成した綴じ棒4と、この綴じ棒4の嵌合部6を挿入嵌合するための嵌合穴12を開口して、基板1の他側辺にヒンジ部2を介して連設した他方側壁11とにより形成する。そして、見本台紙20を装着した綴じ棒4を割溝7を縮径することにより挿入して嵌合部6を嵌合穴12に嵌合固定し、一方側壁3と他方側壁11の間に見本台紙20を保持可能とした。【選択図】図１
2006341389.tif 000002
【特許請求の範囲】
【請求項１】
見本帳背表紙の内面に固定するために樹脂材で形成した平板状の基板と、この基板の一側辺にヒンジ部を介して連設した一方側壁と、この一方側壁の基板側に固定し、先端の嵌合部に縮径用の割溝を形成した綴じ棒と、この綴じ棒の嵌合部を挿入嵌合するための嵌合穴を開口して、基板の他側辺にヒンジ部を介して連設した他方側壁とからなり、見本台紙を装着した綴じ棒を割溝を縮径することにより挿入して嵌合部を嵌合穴に嵌合固定し、一方側壁と他方側壁との間に見本台紙を保持可能としたことを特徴とする見本帳用バインダー。
【請求項２】
綴じ棒は、弧状とすることを特徴とする請求項１の見本帳用バインダー。
【請求項３】
綴じ棒は、直線状とすることを特徴とする請求項１の見本帳用バインダー。
【請求項４】
嵌合部は、割溝に連続する外周に環状凹溝を形成し、この環状凹溝の割溝側に係合段部を設け、この係合段部を嵌合穴を貫通した他方側壁の外面に係合することを特徴とする請求項１の見本帳用バインダー。
【請求項５】
嵌合部は、環状凹溝の係合段部と反対側に環状鍔を突出し、嵌合穴の内面に突き当て可能としたことを特徴とする請求項１又は４の見本帳用バインダー。
【請求項６】
嵌合穴は、他方側壁の内面側を径大とするテーパー状に形成したことを特徴とする請求項１の見本帳用バインダー。
【請求項７】
基板は、側辺と直交する直交辺側に、見本を支持するための端壁を設けたことを特徴とする請求項１の見本帳用バインダー。
【発明の詳細な説明】
【技術分野】
【０００１】
本発明は、見本を止着した見本台紙を綴じて見本帳とするためのバインダーに関するものである。
【背景技術】
【０００２】
【特許文献１】特開２０００−３４３８６８号公報
【特許文献２】特開２００４−１１４５５３号公報
【０００３】
従来、見本帳用バインダーとして、特許文献１や特許文献２に示す如く、基板の両側に側壁を起立し、この両側壁に穴を開けて、見本台紙を保持するために基板とは別個に設けた綴じ棒を一方の側壁の外側からこの穴に挿入し、他方の側壁の穴の外側において係止用の部材でこの綴じ棒を固定するものが知られている。
【発明の開示】
【発明が解決しようとする課題】
【０００４】
しかしながら、上記のように構成した見本帳用バインダーは、基板のほかに綴じ棒や係止用の部材といった複数の部材からなるものであり、構成が複雑なものとなる。また、各部材をそれぞれ製造する必要があることから、最終的な見本帳用バインダーの製造コストが高くなるという問題点を有している。
【０００５】
そこで本発明は、上述の如き課題を解決しようとするものであって、見本帳用バインダーを単一の部材で形成することによって構成を簡略化するとともに、製造コストを低く抑えようとするものである。
【課題を解決するための手段】
【０００６】
見本帳背表紙の内面に固定するために樹脂材で形成した平板状の基板と、この基板の一側辺にヒンジ部を介して連設した一方側壁と、この一方側壁の基板側に固定し、先端の嵌合部に縮径用の割溝を形成した綴じ棒と、この綴じ棒の嵌合部を挿入嵌合するための嵌合穴を開口して、基板の他側辺にヒンジ部を介して連設した他方側壁とからなり、見本台紙を装着した綴じ棒を割溝を縮径することにより挿入して嵌合部を嵌合穴に嵌合固定し、一方側壁と他方側壁との間に見本台紙を保持可能としたものである。
【０００７】
綴じ棒は、弧状とするものであってもよい。
【０００８】
綴じ棒は、直線状とするものであってもよい。
【０００９】
嵌合部は、割溝に連続する外周に環状凹溝を形成し、この環状凹溝の割溝側に係合段部を設け、この係合段部を嵌合穴を貫通した他方側壁の外面に係合するものであってもよい。
【００１０】
嵌合部は、環状凹溝の係合段部と反対側に環状鍔を突出し、嵌合穴の内面に突き当て可能としたものであってもよい。
【００１１】
嵌合穴は、他方側壁の内面側を径大とするテーパー状に形成したものであってもよい。
【００１２】
基板は、側辺と直交する直交辺側に、見本を支持するための端壁を設けたものであってもよい。
【発明の効果】
【００１３】
本発明では、上述の如き構成とすることによって、基板と両側壁をヒンジ部で連設し、一方の側壁に綴じ棒を形成したことから、見本帳用バインダーを単一の部材で構成でき、構成を簡略化することができる。したがって、綴じ棒を嵌合穴に挿入し嵌合する単純な作業で見本帳を製造することができる。また、見本帳用バインダーを一体として成型することができるため、成型コストを低く抑えることが可能となる。
【実施例１】
【００１４】
以下、本発明の一実施例を図面において説明すると、（１）は基板であり、樹脂材を用いて平板状に形成している。この基板（１）は、図５に示す如く、見本帳背表紙（２１）の内面に固定し、この基板（１）の一側辺に、ヒンジ部（２）を介して一方側壁（３）を設ける。そして、この一方側壁（３）に、見本を止着した見本台紙（２０）を保持するための綴じ棒（４）を基板（１）側に一体に突出形成して固定する。
【００１５】
この綴じ棒（４）は、図１に示す如く、基板（１）の内面（５）から上方に湾曲した弧状とするとともに、先端を嵌合部（６）とし、この嵌合部（６）は基板（１）の内面（５）と平行に綴じ棒（４）に突出形成する。そして、図４に示す如く、綴じ棒（４）の嵌合部（６）の先端には割溝（７）を形成し、この割溝（７）の両側を先端突起（８）とする。これにより、先端突起（８）を外側から割溝（７）方向に押圧すると、先端突起（８）が割溝（７）側に弾性変形し、先端突起（８）の径を小さくすることができる。また、嵌合部（６）の、先端突起（８）に連続する部分の外周に凹部を設けて環状凹溝（１０）としている。
【００１６】
また、基板（１）の一側辺と対向する他側辺には、ヒンジ部（２）を介して他方側壁（１１）を設け、この他方側壁（１１）に、綴じ棒（４）を嵌合するための嵌合穴（１２）を設ける。この嵌合穴（１２）は、綴じ棒（４）を嵌合しやすくするために、図３に示す如く、他方側壁（１１）の内面側を径大とするテーパー状に形成している。
【００１７】
そして、綴じ棒（４）を嵌合穴（１２）に挿入した際に、環状凹溝（１０）が嵌合穴（１２）の内周に嵌合する。また、図３に示す如く、この環状凹溝（１０）の先端突起（８）側に係合段部（１３）を設けて、綴じ棒（４）を嵌合穴（１２）に挿入した際に、係合段部（１３）が他方側壁（１１）の外面と係合して、綴じ棒（４）を他方側壁（１１）から引き抜き困難とする。
【００１８】
さらに、綴じ棒（４）を嵌合穴（１２）に挿入した際に、綴じ棒（４）の挿入位置を固定するため、図４に示す如く、環状凹溝（１０）の一方側壁（３）側には、綴じ棒（４）の外周に環状鍔（１４）を設ける。これにより、綴じ棒（４）を嵌合穴（１２）に挿入した場合に、環状鍔（１４）を嵌合穴（１２）の内面に突き当てて、環状凹溝（１０）を越えて綴じ棒（４）が嵌合穴（１２）に入ることがないようにする。
【００１９】
また、図１に示す如く、基板（１）の一側辺と直交する両端部に、基板（１）の内面（５）と垂直に固定した端壁（１５）を設ける。この端壁（１５）を設けることにより、見本台紙（２０）の端部を突き当てて切り口を揃えることを可能とし、見本帳（２２）の外観を整えることができる。また、見本台紙（２０）の下端部が一方の端壁（１５）に接触して、見本台紙（２０）の重量を支えることを可能とする。
【００２０】
上述の如き構成としたものにおいて、綴じ棒（４）の嵌合部（６）に割溝（７）を設け、嵌合穴（１２）の一方側壁（３）側を径大とするテーパー状に形成したことにより、見本台紙（２０）を装着した綴じ棒（４）の嵌合部（６）を嵌合穴（１２）に挿入すると、嵌合穴（１２）のテーパー形状にしたがって先端突起（８）が割溝（７）側に縮径し、先端突起（８）が嵌合穴（１２）を通過した後、弾性により元の形状に戻る。そうすると、図３に示す如く、綴じ棒（４）の環状凹溝（１０）の外周と嵌合穴（１２）の内周が嵌合するとともに、係合段部（１３）が他方側壁（１１）の外面と係合して、綴じ棒（４）が他方側壁（１１）から引き抜き困難となる。
【００２１】
また、基板（１）と一方側壁（３）及び他方側壁（１１）をそれぞれヒンジ部（２）を介して接続したことから、一方側壁（３）に固定した綴じ棒（４）を他方側壁（１１）の嵌合穴（１２）に挿入する場合に、一方側壁（３）と他方側壁（１１）が対向するように外側から押圧するだけで綴じ棒（４）の嵌合部（６）と他方側壁（１１）の嵌合穴（１２）を接触することが可能となり、嵌合する作業が容易なものとなる。
【００２２】
また、綴じ棒（４）を基板（１）の内面（５）から上方に湾曲した弧状としたことによって、見本台紙（２０）を綴じ棒（４）に装着すれば、図５に示す如く、見本台紙（２０）をめくると、一つの見本台紙（２０）の綴じ代（２３）が他の見本台紙（２０）の綴じ代（２３）部分と接触することが少なくなり、見本台紙（２０）をめくりやすいものとなる。また、このように一つの見本台紙（２０）の綴じ代（２３）が他の見本台紙（２０）の綴じ代（２３）部分と接触することが少なくなるため、開いた際にも見本台紙（２０）はきれいに左右に倒れ、見本台紙（２０）を見やすいものとなる。
【００２３】
また、綴じ棒（４）の嵌合部（６）を基板（１）の内面（５）と平行に形成したことにより、綴じ棒（４）を嵌合穴（１２）に挿入する場合に、他方側壁（１１）と直角に挿入すればよく、挿入する際に力を入れやすいものとなる。また、見本帳用バインダー（１６）を単一の部材で構成することができ、構成を簡略化することができる。したがって、見本台紙（２０）を装着した綴じ棒（４）を嵌合穴（１２）に挿入するという単純な作業で見本帳（２２）を製造することができる。また、見本帳用バインダー（１６）を一体として成型することができるため、成型コストを低く抑えることが可能となる。
【実施例２】
【００２４】
上述のように、実施例１では綴じ棒（４）を弧状とした見本帳用バインダー（１６）について説明したが、本実施例では、綴じ棒（４）を直線状とする。これにより、綴じ棒（４）の曲線を考慮することなく成型用の型を作ることが可能となるため、見本帳用バインダー（１６）を廉価に成型しやすいものとなる。
【図面の簡単な説明】
【００２５】
【図１】本発明の実施例１を示す斜視図。
【図２】綴じ棒を他方側板に嵌合した状態を示す斜視図。
【図３】図２のＡ−Ａ線断面図。
【図４】綴じ棒の嵌合部部分の部分拡大図。
【図５】本発明のバインダーを見本帳に固定した斜視図。
【図６】本発明の実施例２を示す斜視図。
【符号の説明】
【００２６】
１  基板
２  ヒンジ部
３  一方側壁
４  綴じ棒
６  嵌合部
７  割溝
１０  環状凹溝
１１  他方側壁
１２  嵌合穴
１３  係合段部
１４  環状鍔
１５  端壁
１６  見本帳用バインダー
２０  見本台紙
２１  見本帳背表紙
【図１】
2006341389.tif 000003
【図２】
2006341389.tif 000004
【図３】
2006341389.tif 000005
【図４】
2006341389.tif 000006
【図５】
2006341389.tif 000007
【図６】
2006341389.tif 000008